【事件の表示】
　特願２０１４−　７７１６４「測定器」拒絶査定不服審判事件〔平成２７年１１月　９日出願公開、特開２０１５−１９７４２７、請求項の数（４）〕について、次のとおり審決する。
【結　論】
　原査定を取り消す。
　本願の発明は、特許すべきものとする。
【理　由】
第１　手続の経緯
　本願は、平成２６年４月３日の出願であって、平成３０年１月１６日付けで拒絶理由が通知され、同年３月１３日に手続補正がされ、同年８月２０日付けで拒絶理由が通知され、同年９月２６日付けで拒絶査定（原査定）がされ、同年１０月２日付けで査定の謄本が送達された。これに対し、同年１２月６日に拒絶査定不服審判の請求がされ、令和元年７月２２日付けで拒絶理由（以下、「当審拒絶理由」という。）が通知され、同年７月２９日に手続補正がされたものである。
第２　本願発明
　本願請求項１−４に係る発明（以下、それぞれ「本願発明１」−「本願発明４」という。）は、令和元年７月２９日に補正された特許請求の範囲の請求項１−４に記載された事項により特定される発明であり、本願発明１−４は以下のとおりの発明である。
「【請求項１】
　本体筐体と、
　前記本体筐体に設けられ、測定子の変位量を検出する検出部と、
　前記本体筐体の外表面に設けられた表示部と、
　前記外表面に設けられた複数のキースイッチと、
　前記外表面における前記表示部の近傍に設けられたメニュー表記部と、
　前記表示部の表示を制御する表示制御部と、
　を備え、
　前記複数のキースイッチの少なくとも１つには操作が割り当てられ、
　前記表示部は、
　　主表示部分と、
　　前記メニュー表記部と隣り合う位置に配置され、前記メニュー表記部を指し示すカーソルを表示するカーソル表示部分と、
　　前記複数のキースイッチのそれぞれの近傍に配置される操作ガイド表示部分であって、近傍のキースイッチに割り当てられた操作に対応するガイド表示を表示する操作ガイド表示部分と、
　　を有し、
　前記表示制御部は、
　　前記検出部によって前記変位量を検出する測定モードの場合、前記カーソル表示部分に前記カーソルを表示させず、かつ、前記操作ガイド表示部分にガイド表示を表示させないように、前記変位量に基づく測定値を前記主表示部分に表示させる制御を行い、
　　測定条件の設定を行う設定モードの場合、選択されたメニューに対応した前記メニュー表記部を指し示すように前記カーソルを表示させる制御を行い、かつ、選択されたメニューにおいて前記近傍のキースイッチに割り当てられた操作に対応するガイド表示を前記操作ガイド表示部分に表示させる制御を行うことを特徴とする測定器。」
　なお、本願発明２−４は、本願発明１を減縮した発明である。
第３　引用文献、引用発明等
１．引用文献１について
　原査定の拒絶の理由に引用された引用文献１（特開２０００−２０５８５２号公報）には、図面とともに次の事項が記載されている（下線は、当審で付した。）。
「【０００１】
【発明の属する技術分野】本発明は被測定物の寸法・形状等を測定するデジタルアナログ併用表示型測定器に関し、特に、被測定アナログ量の測定・表示方法に関する。」
「【０００６】本発明の目的は、以上に述べたような従来のデジタルアナログ併用表示型測定器の問題に鑑み、表示器が比較的小型でよく、アナログ目量の切替えやアナログ表示の基準点の設定を行うスイッチを用いずに、常に現在値、設定された上下限値や最小値（最大値）との関係をアナログ目盛範囲内に表示できる測定・表示方法を得るにある。」
「【０００９】
【発明の実施の形態】以下、図面について本発明の実施例の詳細を説明する。
図１は本発明を施したシリンダゲージを示し、シリンダボア径の測定に用いる同シリンダゲージは一端に測定子１を有するスピンドル２はゲージ本体３に対して摺動自在に保持されるが、測定子１の変位量はゲージ本体３の液晶表示器１０のデジタル表示部１１とアナログ表示部１２の双方で表示される。
【００１０】即ち、デジタル表示部１１は、例えば＋または−の符号と５桁の７セグメント状電極で構成され、測定子１の変位量は数値表示により直読可能に表示される。アナログ表示部１２は左右方向に整列した多数のアナログバーから構成されるバーグラフ１３を備え、測定子１の変位量は右側からのアナログバーの反転点灯により表示される。なお、後述から明らかになるが、最小値はひとつのアナログバーの点滅で、公差設定時の下限値及び上限値は現在変位量を示すアナログバーの状態とは逆の点灯状態で表示されることになる。なお、
前記ゲージ本体３の表面には、測定開始用のスタートスイッチ１４、公差設定を行える公差設定スイッチ１５、プリセットスイッチ１６、ホールドされた値を固定するホールドスイッチ１７その他Ｍ／Ｗボタン、ＯＮ／ＯＦＦボタン等が設けられる。
【００１１】
図２に示すように、前記ゲージ本体３の内部には、測定子１の変位に従動するスピンドル２の変位を電気値に変換する測長センサ５０
同測長センサ５０の出力パルス信号は測長回路（カウンタ）５１により計数され
同演算・制御部５２は操作スイッチ群２０の操作に基づき、
液晶駆動部５６を制御する
液晶駆動部５６はデジタル用ドライバ５７とアナログ用ドライバ５８から構成され、これらは液晶表示器１０のデジタル表示器１１及びアナログ表示器１２をそれぞれ駆動する。
　引用文献１には以下の図が示されている。
【図１】
【図２】
 
　また、上記記載事項及び図示内容によれば、以下の事項が認められる。
「ゲージ本体３の表面が筐体で構成されていること」（【図１】参照）
「ゲージ本体３と、前記ゲージ本体３の表面に設けられた液晶表示器１０と、前記表面に設けられた測定開始用のスタートスイッチ１４、公差設定を行える公差設定スイッチ１５、プリセットスイッチ１６、ホールドスイッチ１７、Ｍ／Ｗボタン、ＯＮ／ＯＦＦボタンとを備えたシリンダゲージ」（【００１０】、【図１】参照）
「ゲージ本体３の表面における液晶表示器１０の近傍にＭ１、Ｍ２、Ｍ３という表示があること」（【図１】参照）
「液晶表示器１０は、測定子１の変位量が数値表示により直読可能に表示されるデジタル表示部１１と、Ｍ１、Ｍ２、Ｍ３という表示に隣接して左向きの三角形が表示される部分を有していること」（【０００９】、【図１】参照）
「ゲージ本体３には、測長センサ５０及び測長回路（カウンタ）５１と、演算・制御部５２が設けられていること」（【００１１】参照）
　したがって、上記引用文献１には次の発明（以下、「引用発明」という。）が記載されていると認められる。
「表面が筐体で構成されているゲージ本体３と、
　前記ゲージ本体３の表面に設けられた液晶表示器１０と、
　前記表面に設けられた測定開始用のスタートスイッチ１４、公差設定を行える公差設定スイッチ１５、プリセットスイッチ１６、ホールドスイッチ１７、Ｍ／Ｗボタン、ＯＮ／ＯＦＦボタンと、
　を備えたシリンダゲージにおいて（【００１０】、【図１】）、
　ゲージ本体３には、測長センサ５０及び測長回路（カウンタ）５１と、演算・制御部５２が設けられており（【００１１】）、
　ゲージ本体３の表面における液晶表示器１０の近傍にＭ１、Ｍ２、Ｍ３という表示があり（【図１】）、
　液晶表示器１０は、測定子１の変位量が数値表示により直読可能に表示されるデジタル表示部１１と、Ｍ１、Ｍ２、Ｍ３という表示に隣接して左向きの三角形が表示される部分を有しており（【０００９】、【図１】）、
　測長センサ５０が測定子１の変位に従動するスピンドル２の変位を電気値に変換し、測長回路（カウンタ）５１が同測長センサ５０の出力パルス信号を計数し（【００１１】）、
　演算・制御部５２は操作スイッチ群２０の操作に基づき、液晶表示器１０のデジタル表示器１１及びアナログ表示器１２をそれぞれ駆動する液晶駆動部５６を制御する（【００１１】）、
　シリンダゲージ」
２．その他の文献について
　原査定の拒絶の理由において周知技術を示す文献として引用された引用文献２（実願昭５５−１２６３２６号（実開昭５７−５０００６号）のマイクロフィルム）の第２頁第１７−１９行、第１０頁第１１行−第１１頁第６行、第９図には、測定値を電気的に検出してこれをデジタル表示する電子マイクロメータにおいて、ＩＮＣＨ、ＭＭ、ＨＯＬＤ、５というモードの表記部を有し、該表記部と隣り合う位置に配置されたドット３８、３９、４０を表示するデジタル表示部１４という技術的事項が記載されている。
　原査定の拒絶の理由において周知技術を示す文献として引用された引用文献３（米国特許第５９６９７１８号明細書）には、次の事項が記載されている（下線は、当審で付した。）。
「
The display has an area 12 wherein is displayed the primary variable (PV) using large characters each of which has seven segments.
The display
has an area 16 wherein
the mode indicators 16c are displayed
　As is shown in FIG. 1, 
the softkey prompt icons area 18 is comprised of four groups, 18a to 18d, of icons. Group 18a has the icons exit to MEASURE and FAULT info; 18b has the icons SELECT and ENTER; 18c has the icons YES, NO and the up arrow; and 18d has the icons NO, MENU, and the right arrow.
　The instrument in which display 10 is used includes keypad 20 which has four keys 20a to 20d. 
Each of the icon groups is physically located close to an associated one of the four keys 20a, 20b, 20c, and 20d. Group 18a is close to and associated with key 20a, group 18b is close to and associated with key 20b, group 18c is close to and associated with key 20c, and group 18d is close to and associated with key 20d.
（当審仮訳：
　
ディスプレイは、７個のセグメントをそれぞれ有する大きな文字を使用する主要変数(ＰＶ)が表示される領域１２を有する。
ディスプレイは
モードインジケータ１６ｃが表示された領域１６を有している。
ディスプレイは、本発明のソフトキープロンプトアイコンが表示される領域１８を有している。
　図１に示すように、
ソフトキープロンプトアイコンエリア１８は、４つのグループ１８ａ〜１８ｄから構成されている。グループ１８ａは、アイコン「exit to MEASURE」および「FAULT info」を有しており、グループ１８ｂは、アイコン「SELECT」および「ENTER」であり、グループ１８ｃは、アイコン「YES」、「NO」、および、上向きの矢印を有し、グループ１８ｄは、アイコン「NO」、「MENU」、および、右向きの矢印を有している。
　ディスプレイ１０が使用される機器は、４個のキー２０ａ〜２０ｄを有するキーパッド２０を含む。
アイコンのグループの各々は、物理的に４個のキー２０ａ、２０ｂ、２０ｃ、２０ｄのうちの関連する１つの近くに配置されている。グループ１８ａはキー２０ａと関連して近くにあり、グループ１８ｂはキー２０ｂと関連して近くにあり、グループ１８ｃはキー２０ｃと関連して近くにあり、グループ１８ｄはキー２０ｄと関連して近くにある。
「As was described above, the MEASURE mode is the normal mode of operation of the instrument and FIG. 2a shows the display in that mode. In this embodiment 
the instrument is being used to measure the pH of a solution as the primary PV and that measurement appears in area 12 on the display.
（当審仮訳：
  上述したように、測定モードは装置の通常の動作モードであり、図２ａは、そのモードにおける表示を示している。この実施形態では、
装置は主要なＰＶとして溶液のｐＨを測定するために使用されており、その測定結果は、ディスプレイの領域１２に表示される。
「That icon is the MENU icon and since it was decided in designing the instrument that key 20d should be associated with the scrolling function, the MENU icon was assigned to group 18d. Thus, 
the MENU icon is lit as is shown in FIG. 2a when the instrument is in the MEASURE mode.
（当審仮訳：
　そのアイコンは「メニュー」アイコンであり、キー２０ｄはスクロール機能に関連付けられるように機器を設計する際に決められているので、メニューアイコンはグループ１８ｄに割り当てられている。従って、
この装置は測定モードにあるとき、そのメニューアイコンはＦｉｇ．２ａに示すように点灯する。
　引用文献３のＦｉｇ．１には、ディスプレイ１０が、主要変数(ＰＶ)が表示される領域１２と、「MEASURE」、「CALIBRATE」などの表示と隣り合う位置に配置され、前記表示を指し示すモードインジケータ１６ｃを表示する表示部分と、キー２０ａ〜２０ｄのそれぞれの近傍に配置されるグループ１８ａ〜１８ｄのアイコンを表示する表示部分とを有することが図示されている。
  引用文献３のＦｉｇ．２Ａには、ディスプレイ１０において、ｐＨの値が表示され、「MEASURE」の表示に隣接する位置でモードインジケータ１６ｃが点灯しており、また、グループ１８ｄのアイコン「MENU」が表示されていることが図示されている。
　それゆえ、引用文献３には、測定モードにあるときに、ディスプレイ１０において、ｐＨの値が表示され、「MEASURE」の表示に隣接する位置でモードインジケータ１６ｃが点灯しており、また、キー２０ｄに関連して近くにあるグループ１８ｄのアイコン「MENU」が表示されているという技術的事項が記載されている。
　原査定の拒絶の理由において周知技術を示す文献として引用された引用文献４（特開２００２−１３９０１号公報）の【００１６】、【図１】（ａ）には、巻尺において、巻尺の各種の機能の作動を開始し、あるいは作動停止するためのＯＮ／ＯＦＦキーとモード選択キーを兼ねた第１キー７を有しており、第１キー７を３秒以上押すとＯＮ／ＯＦＦの作動が行われ、また、ＯＮの状態でこの第１キー７を短時間押すとモードの切換選択が行われるという技術的事項が記載されている。
　原査定の拒絶の理由において周知技術を示す文献として引用された引用文献５（特開２０１３−５６１５１号公報）の【００８０】−【００８３】、【図７】には、測定された生体情報が表示部１２０で順に表示されるときに、表示部１２０で生体情報の測定値とともに生体情報を指し示すカーソルを表示し、被測定者の体成分を測定する間に、表示部１２０で測定進行率を表示し、前記カーソルは表示しないという技術的事項が記載されている。
　原査定の拒絶の理由において周知技術を示す文献として引用された引用文献６（特開２００９−５５９９５号公報）には、次の事項が記載されている（下線は、当審で付した。）。
「また、
「測定中」の項目が指示表示４１ｄによって示されている場合（図６参照）には、被測定者の体重及び生体インピーダンス（第１生体情報）の測定処理中であることを示し、「体重  ｋｇ」の項目が指示表示４１ｅによって示されている場合（図５〜図７参照）には、被測定者の体重が表示されている状態であることを示し
「
測定中においては、
表示部７では、
指示表示４１ｄ、４１ｅを点灯させ、測定中の体重を中央部に
表示させる。
「本実施形態では、図８に示すような
身長−脂肪率のグラフを表示する際に、表示部７の下中央に「男性」及び「女性」を表示するとともに、第３キー操作部３７及び第４キー操作部３８をそれぞれに対応させて、男性用のグラフと女性用のグラフの選択に関連づけられている。
　引用文献６の【図８】には、表示部７において、第３キー操作部３７及び第４キー操作部３８のぞれぞれの近傍に「男性」及び「女性」という表示部分が表示されていることが図示されており、また、【図６】には、測定中において、「測定中」の項目が指示表示４１ｄによって示され、「体重  ｋｇ」の項目が指示表示４１ｅによって示され、第１〜第４キー操作部３５〜３８のそれぞれの近傍に「男性」、「女性」等という表示部分が表示されずに、測定中の体重が中央部に表示されることが図示されている。
　それゆえ、引用文献６には、測定中において、「測定中」の項目が指示表示４１ｄによって示され、「体重  ｋｇ」の項目が指示表示４１ｅによって示され、第１〜第４キー操作部３５〜３８のそれぞれの近傍に「男性」、「女性」等という表示部分が表示されずに、測定中の体重が中央部に表示されるという技術的事項が記載されている。
第４　対比・判断
１．本願発明１について
（１）対比
　本願発明１と引用発明とを対比すると、次のことがいえる。
　引用発明における「筐体」は、本願発明１における「本体筐体」に相当する。
　引用発明において、「ゲージ本体３の表面に設けられた」部材は、「ゲージ本体３」を構成する「筐体」の外表面に設けられた部材を意味するから、引用発明における、「前記ゲージ本体３の表面に設けられた液晶表示器１０」、「前記表面に設けられた測定開始用のスタートスイッチ１４、公差設定を行える公差設定スイッチ１５、プリセットスイッチ１６、ホールドスイッチ１７、Ｍ／Ｗボタン、ＯＮ／ＯＦＦボタン」は、それぞれ、本願発明１における「前記本体筐体の外表面に設けられた表示部」、「前記外表面に設けられた複数のキースイッチ」に相当する。
　引用発明においては、「測長センサ５０が測定子１の変位に従動するスピンドル２の変位を電気値に変換し、測長回路（カウンタ）５１が同測長センサ５０の出力パルス信号を計数」するから、引用発明における「測長センサ５０及び測長回路（カウンタ）５１」は、本願発明１における「測定子の変位量を検出する検出部」に相当する。そして、「ゲージ本体３」に「設けられ」た「測長センサ５０及び測長回路（カウンタ）５１」は、「ゲージ本体３」の「筐体」に「設けられ」た「測長センサ５０及び測長回路（カウンタ）５１」を意味するから、本願発明１における「前記本体筐体に設けられ、測定子の変位量を検出する検出部」に相当する。
　引用発明において、「演算・制御部５２は操作スイッチ群２０の操作に基づき、液晶表示器１０のデジタル表示器１１及びアナログ表示器１２をそれぞれ駆動する液晶駆動部５６を制御する」から、引用発明における「演算・制御部５２」は、本願発明１における「前記表示部の表示を制御する表示制御部」に相当する。
　引用発明における、「測定開始用のスタートスイッチ１４、公差設定を行える公差設定スイッチ１５、プリセットスイッチ１６、ホールドスイッチ１７、Ｍ／Ｗボタン、ＯＮ／ＯＦＦボタン」は、測定開始、公差設定などを行うための操作手段であるから、操作が割り当てられているものと認められる。それゆえ、引用発明において、「測定開始用のスタートスイッチ１４、公差設定を行える公差設定スイッチ１５、プリセットスイッチ１６、ホールドスイッチ１７、Ｍ／Ｗボタン、ＯＮ／ＯＦＦボタン」に操作が割り当てられていることは、本願発明１における、「前記複数のキースイッチの少なくとも１つには操作が割り当てられ」ていることに相当する。
　引用発明における、「液晶表示器１０は、測定子１の変位量は数値表示により直読可能に表示されるデジタル表示部１１」を「有して」いる構成は、本願発明１における、「前記表示部は、主表示部分」「を有し」ている構成に相当する。
　当該対比で述べた事項を踏まえると、引用発明において、「筐体で構成されているゲージ本体３と、・・・液晶表示器１０と、・・・測定開始用のスタートスイッチ１４、公差設定を行える公差設定スイッチ１５、プリセットスイッチ１６、ホールドスイッチ１７、Ｍ／Ｗボタン、ＯＮ／ＯＦＦボタンと、を備えたシリンダゲージにおいて、ゲージ本体３には、測長センサ５０及び測長回路（カウンタ）５１と、演算・制御部５２が設けられて」いる「ことを特徴とするシリンダゲージ」は、本願発明１における、「本体筐体と、前記本体筐体に設けられ、測定子の変位量を検出する検出部と、前記本体筐体の外表面に設けられた表示部と、前記外表面に設けられた複数のキースイッチと、前記表示部の表示を制御する表示制御部と、を備え」る「測定器」に相当する。
　したがって、本願発明１と引用発明との間には、次の一致点、相違点があるといえる。
（一致点）
「本体筐体と、
　前記本体筐体に設けられ、測定子の変位量を検出する検出部と、
　前記本体筐体の外表面に設けられた表示部と、
　前記外表面に設けられた複数のキースイッチと、
　前記表示部の表示を制御する表示制御部と、
　を備え、
　前記複数のキースイッチの少なくとも１つには操作が割り当てられ、
　前記表示部は、
　　主表示部分を有している測定器。」
（相違点）
（相違点１）本願発明１は、「前記外表面における前記表示部の近傍に設けられたメニュー表記部」を備える構成を有しているのに対して、引用発明は、「ゲージ本体３の表面における液晶表示器１０の近傍にＭ１、Ｍ２、Ｍ３という表示」を有しているものの、該表示が「前記外表面における前記表示部の近傍に設けられたメニュー表記部」に相当するものかどうかが不明であり、引用発明が上記構成を有していることが明らかではない点。
（相違点２） 本願発明１と引用発明は共に「前記表示部は、主表示部分を有している」点で共通しているが、本願発明１は、「前記表示部」が「主表示部分」だけでなく、「前記メニュー表記部と隣り合う位置に配置され、前記メニュー表記部を指し示すカーソルを表示するカーソル表示部分と、前記複数のキースイッチのそれぞれの近傍に配置される操作ガイド表示部分であって、近傍のキースイッチに割り当てられた操作に対応するガイド表示を表示する操作ガイド表示部分」の構成を有しているのに対して、引用発明は該構成を有していない点。
（相違点３）本願発明１は、「前記表示制御部は、前記検出部によって前記変位量を検出する測定モードの場合、前記カーソル表示部分に前記カーソルを表示させず、かつ、前記操作ガイド表示部分にガイド表示を表示させないように、前記変位量に基づく測定値を前記主表示部分に表示させる制御を行い」という構成を有しているのに対し、引用発明はそのような構成を有していない点。
（相違点４）本願発明１は、「前記表示制御部は、」「測定条件の設定を行う設定モードの場合、選択されたメニューに対応した前記メニュー表記部を指し示すように前記カーソルを表示させる制御を行い、かつ、選択されたメニューにおいて前記近傍のキースイッチに割り当てられた操作に対応するガイド表示を前記操作ガイド表示部分に表示させる制御を行う」という構成を有しているのに対し、引用発明はそのような構成を有していない点。
（２）相違点についての判断
　事案に鑑みて、上記相違点３について先に検討する。
　引用文献３には、測定モードにあるときに、ディスプレイ１０において、ｐＨの値が表示され、「MEASURE」の表示に隣接する位置でモードインジケータ１６ｃが点灯しており、また、キー２０ｄに関連して近くにあるグループ１８ｄのアイコン「MENU」が表示されているという技術的事項が記載されている。それゆえ、本願発明１と引用文献３に記載された技術的事項とは、「測定モードの場合、」「測定値を前記主表示部分に表示させる制御を行」うという点で共通するものの、引用文献３に記載された技術的事項は、上記相違点３に係る構成のように、「測定モード」が「前記検出部によって前記変位量を検出する」モードであり、「主表示部分に表示させる」「測定値」が「前記変位量に基づく」値である点や、「前記表示制御部は、」「測定モードの場合、前記カーソル表示部分に前記カーソルを表示させず、かつ、前記操作ガイド表示部分にガイド表示を表示させない」「制御を行」う点を含んでいない。
　また、引用文献６には、測定中において、「測定中」の項目が指示表示４１ｄによって示され、「体重  ｋｇ」の項目が指示表示４１ｅによって示され、第１〜第４キー操作部３５〜３８のそれぞれの近傍に「男性」、「女性」等という表示部分が表示されずに、測定中の体重が中央部に表示されるという技術的事項が記載されている。それゆえ、本願発明と引用文献６に記載された技術的事項とは、「測定モードの場合、」「前記操作ガイド表示部分にガイド表示を表示させないように、」「測定値を前記主表示部分に表示させる制御を行」うという点で共通するものの、引用文献６に記載された技術的事項は、上記相違点３に係る構成のように、「測定モード」が「前記検出部によって前記変位量を検出する」モードであり、「主表示部分に表示させる」「測定値」が「前記変位量に基づく」値である点や、「前記表示制御部は、」「測定モードの場合、前記カーソル表示部分に前記カーソルを表示させ」ず、かつ、前記操作ガイド表示部分にガイド表示を表示させない」「制御を行」う点を含んでいない。
　また、引用文献２、４−５に記載された技術的事項においても、上記相違点３に係る構成を含んでいない。
　したがって、その他の相違点について判断するまでもなく、本願発明１は、当業者であっても引用発明、引用文献２−６に記載された技術的事項に基づいて容易に発明できたものであるとはいえない。
２．本願発明２−４について
　本願発明２−４は、本願発明１を減縮した発明であり、本願発明１の上記相違点３に係る構成と同一の構成を備えるものであるから、本願発明１と同じ理由により、当業者であっても、引用発明、引用文献２−６に記載された技術的事項に基づいて容易に発明できたものとはいえない。
第５　原査定の概要及び原査定についての判断
　原査定は、請求項１−２に係る発明は、上記引用文献１−３、５−６に記載された発明に基づいて、当業者が容易に発明できたものであり、また、請求項３−４に係る発明は、引用文献１−６に記載された発明に基づいて、当業者が容易に発明できたものであるから、特許法第２９条第２項の規定により特許を受けることができないというものである。
　しかしながら、令和元年７月２９日の手続補正により補正された請求項１−４は、上記相違点３に係る構成を有するものとなっており、この構成は、原査定における引用文献１−６には記載されておらず、本願出願前における周知技術でもないので、本願発明１−４は、当業者であっても、原査定における引用文献１−６に記載された発明に基づいて容易に発明できたものではない。
　したがって、原査定を維持することはできない。
第６　当審拒絶理由について
　特許法第３６条第６項第１号について
　当審では、請求項１の「前記複数のキースイッチの少なくとも１つに割り当てられた操作に対応するガイド表示」という点は、発明の詳細な説明に記載されていないとの拒絶の理由を通知しているが、令和元年７月２９日の手続補正において、「
前記複数のキースイッチの少なくとも１つには操作が割り当てられ、
操作ガイド表示部分であって、近傍のキースイッチに割り当てられた操作
前記近傍のキースイッチに割り当てられた操作
第７　むすび
　以上のとおり、原査定の理由によっては、本願を拒絶することはできない。
　また、他に本願を拒絶すべき理由を発見しない。
　よって、結論のとおり審決する。